(57)【特許請求の範囲】
【請求項１】
インクジェットにより３滴以上の複数の液滴を吐出して、被記録材上に所定の方向に延びるパターンを描画する描画方法であって、
前記パターンの一方の端を基点として、該パターンに沿って前記複数の液滴を前記被記録材に等間隔で順次着弾させ、
ｎを奇数または偶数として、ｎ番目の液滴が着弾した後にｎ＋１番目の液滴が着弾するまでの時間を、ｎ＋１番目の液滴が着弾した後にｎ＋２番目の液滴が着弾するまでの時間よりも長くすることによって、ｎ番目の液滴が着弾後に前記被記録材上で濡れ広がっている領域に重ねてｎ＋１番目の液滴を着弾させ、ｎ＋１番目の液滴が着弾後に前記被記録材上で濡れ広がっている領域に重ねることなくｎ＋２番目の液滴を着弾させ、ｎ＋１番目の液滴およびｎ＋２番目の液滴の前記被記録材上での濡れ広がりにより両液滴を合一させることを特徴とする描画方法。
【請求項２】
インクジェットにより３滴以上の複数の液滴を吐出して、被記録材上に所定の方向に延びるパターンを描画する描画装置であって、
前記複数の液滴を吐出するインクジェットヘッドと、
前記被記録材に対して前記インクジェットヘッドを前記所定の方向に相対移動させる移動手段と、
を備え、
前記インクジェットヘッドが、前記パターンの一方の端を基点として、該パターンに沿って前記複数の液滴を順次吐出しながら、これらの液滴が前記被記録材上に等間隔で着弾するように相対移動され、
ｎを奇数または偶数として、ｎ番目の液滴が着弾後に前記被記録材上で濡れ広がっている領域に重なってｎ＋１番目の液滴が着弾し、ｎ＋１番目の液滴が着弾後に前記被記録材上で濡れ広がっている領域に重なることなくｎ＋２番目の液滴が着弾し、ｎ＋１番目の液滴およびｎ＋２番目の液滴の前記被記録材上での濡れ広がりにより両液滴が合一するように、ｎ番目の液滴を吐出した後にｎ＋１番目の液滴を吐出するまでの時間が、ｎ＋１番目の液滴を吐出した後にｎ＋２番目の液滴を吐出するまでの時間よりも長くなるように吐出することを特徴とする描画装置。
【請求項３】
配線パターンが設けられたプリント配線板の製造方法であって、
請求項１に記載の描画方法により前記配線パターンを描画することを特徴とするプ
リント配線板の製造方法。
【請求項４】
複数の画素および各画素を隔絶するブラックマトリクスが設けられたカラーフィルタの製造方法であって、
請求項１に記載の描画方法により前記複数の画素および／または前記ブラックマトリクスを描画することを特徴とするカラーフィルタの製造方法。
【発明の詳細な説明】
【技術分野】
【０００１】
本発明は、描画方法、インクジェットヘッド、描画装置、ならびにプリント配線板の製造方法およびカラーフィルタの製造方法に関する。
【背景技術】
【０００２】
プリント配線板の配線パターンや、液晶ディスプレイなどに用いられるカラーフィルタのＲＧＢの各画素の形成方法として、機能性材料を含んだ液（例えば、導電性インクやカラーレジストインク）をインクジェットにより基板上に吐出して形成する方法が知られている（例えば、特許文献１、２参照）。
【０００３】
特許文献２に開示された技術では、所定のピッチで複数の液滴を吐出し、所定の方向に延びる線状のパターンを形成している。そして、隣り合う液滴は、互いに間隔をあけて基板に着弾させ、基板上で濡れ広がったときに互いに合一させている。それにより、後に着弾した液滴が先に着弾した液滴に重なって吸収されることを回避し、各液滴を等方的に濡れ広がらせ、パターンの幅の管理を容易としている。
【特許文献１】特開２００３−３１７９４５号公報
【特許文献２】特開２００３−２６６６６９号公報
【発明の開示】
【発明が解決しようとする課題】
【０００４】
特許文献２に開示された技術では、全ての液滴は、隣り合う液滴と重なることなく着弾し、濡れ広がって隣り合う液滴と合一している。そのため、隣り合う液滴の間隔が長くなる傾向にあり、ジャギーという１滴の周期での凹凸が発生する虞がある。一方、隣り合う液滴の間隔を短くし、全ての液滴を隣り合う液滴と重なるように着弾させると、後に着弾した液滴は先に着弾した液滴に重なって吸収され、特定の部分に溶液が集中してバルジが発生する虞がある。
【０００５】
本発明は、上述した事情に鑑みなされたものであり、ジャギーおよびバルジの発生を抑制し、均一な幅のパターンを被記録材上に描画することができる描画方法、インクジェットヘッド、描画装置を提供し、高品質なプリント配線板の製造方法およびカラーフィルタの製造方法を提供することを目的とする。
【課題を解決するための手段】
【０００６】
上記目的は、本発明に係る下記の描画方法により達成される。
（１）インクジェットにより３滴以上の複数の液滴を吐出して、被記録材上に所定の方向に延びるパターンを描画する描画方法であって、前記複数の液滴を、隣り合う２滴以上で構成される組を少なくとも含み、１滴または２滴以上で構成される複数の組に分け、２滴以上で構成される組の各液滴は、隣り合う同じ組の液滴と重なって前記被記録材に着弾させ、各組の端の液滴は、隣り合う他の組の端の液滴との間に隙間をおいて前記被記録材に着弾させ、且つ前記被記録材上で濡れ広がることにより該他の組の端の液滴と合一させることを特徴とする描画方法。
（２）前記パターンの一方の端を基点として、該パターンに沿って前記複数の液滴を前記被記録材に順次着弾させることを特徴とする（１）に記載の描画方法。
（３）インクジェットにより３滴以上の複数の液滴を吐出して、被記録材上に所定の方向に延びるパターンを描画する描画方法であって、前記パターンの一方の端を基点として、該パターンに沿って前記複数の液滴を前記被記録材に順次着弾させ、ｎを奇数または偶数として、ｎ番目の液滴が着弾後に前記被記録材上で濡れ広がっている領域に重ねてｎ＋１番目の液滴を着弾させ、ｎ＋１番目の液滴が着弾後に前記被記録材上で濡れ広がっている領域に重ねることなくｎ＋２番目の液滴を着弾させ、ｎ＋１番目の液滴およびｎ＋２番目の液滴の前記被記録材上での濡れ広がりにより両液滴を合一させることを特徴とする描画方法。
（４）ｎ番目の液滴が着弾した後にｎ＋１番目の液滴が着弾するまでの時間を、ｎ＋１番目の液滴が着弾した後にｎ＋２番目の液滴が着弾するまでの時間よりも長くすることを特徴とする（３）に記載の描画方法。
（５）ｎ番目の液滴とｎ＋１番目の液滴とのピッチｐ１を、着弾前の液滴の直径Ｄ以下とすることを特徴とする（３）に記載の描画方法。
（６）ｎ＋１番目の液滴とｎ＋２番目の液滴とのピッチｐ２を、着弾前の液滴の直径をＤ、前記被記録材と液滴との接触角をθとして、下記の数式（ｉ）を満たすものとすることを特徴とする（３）に記載の描画方法。
【０００７】
【数１】
0005155711.tif 000002
【０００８】
上記（１）の構成の描画方法によれば、隣り合う２滴以上で構成される組を少なくとも含み、２滴以上で構成される組の各液滴を互いに重ねて着弾させるので、ジャギーの発生を抑制することができる。そして、２滴以上で構成される組においてバルジが発生しても、その組の端の液滴を濡れ広がらせて他の組の端の液滴と合一させることにより、バルジから合一箇所への溶液の流動を生じさせることができる。それにより、均一な幅のパターンを描画することができる。
上記（２）の構成の描画方法によれば、一度の走査でパターンを描画することができる。
上記（３）の構成の描画方法によれば、複数の液滴を、２滴で構成される組に分けることができ、その組における液量を少なくしてバルジの発生を抑制することができる。そして、２滴で構成される組の各液滴を互いに重ねて着弾させるので、ジャギーの発生を抑制することができる。さらに、２滴で構成される組においてバルジが発生しても、その組の端の液滴を濡れ広がらせて他の組の端の液滴と合一させることにより、バルジから合一箇所への溶液の流動を生じさせることができる。それにより、均一な幅のパターンを描画することができる。
上記（４）の構成の描画方法によれば、吐出周波数を調整して、ｎ番目の液滴が着弾後に被記録材上で濡れ広がっている領域に重ねてｎ＋１番目の液滴を着弾させ、ｎ＋１番目の液滴が着弾後に被記録材上で濡れ広がっている領域に重ねることなくｎ＋２番目の液滴を着弾させ、ｎ＋１番目の液滴およびｎ＋２番目の液滴の前記被記録材上での濡れ広がりにより両液滴を合一させることができる。これは、ドットピッチを一定にしたい場合に好適である。
上記（５）の構成の描画方法によれば、ドットピッチを調整して、ｎ番目の液滴が着弾後に被記録材上で濡れ広がっている領域に重ねてｎ＋１番目の液滴を着弾させることができる。これは、吐出周波数を一定にしたい場合に好適である。
上記（６）の構成の描画方法によれば、ドットピッチを調整して、ｎ＋１番目の液滴が着弾後に被記録材上で濡れ広がっている領域に重ねることなくｎ＋２番目の液滴を着弾させ、ｎ＋１番目の液滴およびｎ＋２番目の液滴の被記録材上での濡れ広がりにより両液滴を合一させることができる。これは、吐出周波数を一定にしたい場合に好適である。
【０００９】
また、上記目的は、本発明に係る下記のインクジェットヘッドにより達成される。
（７）３個以上の複数のノズルを所定の方向に整列して備え、各ノズルから液滴を吐出して、被記録材上に所定の方向に延びるパターンを描画するインクジェットヘッドであって、前記複数のノズルを、隣り合う２つ以上で構成される組を少なくとも含み、１つまたは２つ以上で構成される複数の組に分け、２つ以上のノズルで構成される組において隣り合う２つのノズルのピッチが、両ノズルから吐出された液滴が互いに重なって前記被記録材に着弾するピッチであり、各組の端のノズルと隣り合う他の組の端のノズルとのピッチが、両ノズルから吐出された液滴が、隙間をおいて前記被記録材に着弾し、且つ前記被記録材上で濡れ広がることにより合一するピッチであることを特徴とするインクジェットヘッド。
（８）３個以上の複数のノズルを所定の方向に整列して備え、各ノズルから液滴を吐出して、被記録材上に所定の方向に延びるパターンを描画するインクジェットヘッドであって、前記複数のノズルの列の一方の端を基点とし、ｎを奇数または偶数として、ｎ番目のノズルとｎ＋１番目のノズルとのピッチＰ１が、ｎ番目のノズルから吐出された液滴が着弾後に前記被記録材上で濡れ広がっている領域に重なってｎ＋１番目のノズルから吐出された液滴が着弾するピッチであり、ｎ＋１番目のノズルとｎ＋２番目のノズルとのピッチＰ２が、ｎ＋１番目のノズルから吐出された液滴が着弾後に前記被記録材上で濡れ広がっている領域に重なることなくｎ＋２番目のノズルから吐出された液滴が着弾し、ｎ＋１番目のノズルから吐出された液滴およびｎ＋２番目のノズルから吐出された液滴の前記被記録材上での濡れ広がりにより両液滴が合一するピッチであることを特徴とするインクジェットヘッド。
（９）ｎ番目のノズルとｎ＋１番目のノズルとのピッチＰ１が、着弾前の液滴の直径Ｄ以下であることを特徴とする（８）に記載のインクジェットヘッド。
（１０）ｎ＋１番目のノズルとｎ＋２番目のノズルとのピッチＰ２が、着弾前の液滴の直径をＤ、前記被記録材と液滴との接触角をθとして、下記の数式（ｉｉ）を満たすことを特徴とする請求項８に記載のインクジェットヘッド。
【００１０】
【数２】
0005155711.tif 000003
【００１１】
上記（７）の構成のインクジェットヘッドによれば、各ノズルから吐出される複数の液滴を、隣り合う２滴以上で構成される組を少なくとも含み、１滴または２滴以上で構成される複数の組に分けることができる。そして、２滴以上で構成される組の各液滴を互いに重ねて着弾させるので、ジャギーの発生を抑制することができる。さらに、２滴以上で構成される組においてバルジが発生しても、その組の端の液滴を濡れ広がらせて他の組の端の液滴と合一させることにより、バルジから合一箇所への溶液の流動を生じさせることができる。それにより、均一な幅のパターンを描画することができる。
上記（８）の構成のインクジェットヘッドによれば、各ノズルから吐出される複数の液滴を、２滴で構成される組に分けることができ、その組における液量を少なくしてバルジの発生を抑制することができる。そして、２滴で構成される組の各液滴を互いに重ねて着弾させるので、ジャギーの発生を抑制することができる。さらに、２滴で構成される組においてバルジが発生しても、その組の端の液滴を濡れ広がらせて他の組の端の液滴と合一させることにより、バルジから合一箇所への溶液の流動を生じさせることができる。それにより、均一な幅のパターンを描画することができる。
上記（９）の構成のインクジェットヘッドによれば、ノズルのピッチを調整して、ｎ番目のノズルから吐出された液滴が着弾後に被記録材上で濡れ広がっている領域に重なってｎ＋１番目のノズルから吐出された液滴を着弾させることができる。
上記（１０）の構成のインクジェットヘッドによれば、ノズルのピッチを調整して、ｎ＋１番目の液滴が着弾後に被記録材上で濡れ広がっている領域に重ねることなくｎ＋２番目の液滴を着弾させ、ｎ＋１番目の液滴およびｎ＋２番目の液滴の被記録材上での濡れ広がりにより両液滴を合一させることができる。
【００１２】
また、上記目的は、本発明に係る下記の描画装置により達成される。
（１１）インクジェットにより３滴以上の複数の液滴を吐出して、被記録材上に所定の方向に延びるパターンを描画する描画装置であって、前記複数の液滴を吐出するインクジェットヘッドと、前記被記録材に対して前記インクジェットヘッドを前記所定の方向に相対移動させる移動手段と、を備え、前記複数の液滴を、隣り合う２滴以上で構成される組を少なくとも含み、１滴または２滴以上で構成される複数の組に分け、２滴以上で構成される組の各液滴は、隣り合う同じ組の液滴と重なって前記被記録材に着弾し、また、各組の端の液滴は、隣り合う他の組の端の液滴との間に隙間をおいて前記被記録材に着弾し、且つ前記被記録材上で濡れ広がることにより該他の組の端の液滴と合一するように、前記移動手段が前記インクジェットヘッドを相対移動させることを特徴とする描画装置。
（１２）前記インクジェットヘッドが、前記パターンの一方の端を基点として、該パターンに沿って前記複数の液滴を順次吐出しながら相対移動されることを特徴とする（１１）に記載の描画装置。
（１３）インクジェットにより３滴以上の複数の液滴を吐出して、被記録材上に所定の方向に延びるパターンを描画する描画装置であって、前記複数の液滴を吐出するインクジェットヘッドと、前記被記録材に対して前記インクジェットヘッドを前記所定の方向に相対移動させる移動手段と、を備え、前記インクジェットヘッドが、前記パターンの一方の端を基点として、該パターンに沿って前記複数の液滴を順次吐出しながら相対移動され、ｎを奇数または偶数として、ｎ番目の液滴が着弾後に前記被記録材上で濡れ広がっている領域に重なってｎ＋１番目の液滴が着弾し、ｎ＋１番目の液滴が着弾後に前記被記録材上で濡れ広がっている領域に重なることなくｎ＋２番目の液滴が着弾し、ｎ＋１番目の液滴およびｎ＋２番目の液滴の前記被記録材上での濡れ広がりにより両液滴が合一するように、前記移動手段が前記インクジェットヘッドを相対移動させることを特徴とする描画装置。
（１４）ｎ番目の液滴が吐出された後にｎ＋１番目の液滴が吐出されるまでの時間が、ｎ＋１番目の液滴が吐出された後にｎ＋２番目の液滴が吐出されるまでの時間よりも長いことを特徴とする（１３）に記載の描画装置。
（１５）ｎ番目の液滴とｎ＋１番目の液滴とのピッチｐ１が着弾前の液滴の直径Ｄ以下となるように、前記移動手段が前記インクジェットヘッドを相対移動させることを特徴とする（１３）に記載の描画装置。
（１６）ｎ＋１番目の液滴とｎ＋２番目の液滴とのピッチｐ２が、着弾前の液滴の直径をＤ、前記被記録材と液滴との接触角をθとして、下記の数式（ｉ）を満たすように、前記移動手段が前記インクジェットを相対移動させることを特徴とする（１３）に記載の描画装置。
【００１３】
【数３】
0005155711.tif 000004
（１７）（７）〜（１０）のいずれか一項に記載のインクジェットヘッドを備えた描画装置。
【００１４】
上記（１１）の構成の描画装置によれば、隣り合う２滴以上で構成される組を少なくとも含み、２滴以上で構成される組の各液滴を互いに重ねて着弾させるので、ジャギーの発生を抑制することができる。そして、２滴以上で構成される組においてバルジが発生しても、その組の端の液滴を濡れ広がらせて他の組の端の液滴と合一させることにより、バルジから合一箇所への溶液の流動を生じさせることができる。それにより、均一な幅のパターンを描画することができる。
上記（１２）の構成の描画装置よれば、一度の走査でパターンを描画することができる。
上記（１３）の構成の描画装置によれば、複数の液滴を、２滴で構成される組に分けることができ、その組における液量を少なくしてバルジの発生を抑制することができる。そして、２滴で構成される組の各液滴を互いに重ねて着弾させるので、ジャギーの発生を抑制することができる。さらに、２滴で構成される組においてバルジが発生しても、その組の端の液滴を濡れ広がらせて他の組の端の液滴と合一させることにより、バルジから合一箇所への溶液の流動を生じさせることができる。それにより、均一な幅のパターンを描画することができる。
上記（１４）の構成の描画装置によれば、吐出周波数を調整して、ｎ番目の液滴が着弾後に被記録材上で濡れ広がっている領域に重ねてｎ＋１番目の液滴を着弾させ、ｎ＋１番目の液滴が着弾後に被記録材上で濡れ広がっている領域に重ねることなくｎ＋２番目の液滴を着弾させ、ｎ＋１番目の液滴およびｎ＋２番目の液滴の被記録材上での濡れ広がりにより両液滴を合一させることができる。これは、ドットピッチを一定にしたい場合に好適である。
上記（１５）の構成の描画装置によれば、ドットピッチを調整して、ｎ番目の液滴が着弾後に被記録材上で濡れ広がっている領域に重ねてｎ＋１番目の液滴を着弾させることができる。これは、吐出周波数を一定にしたい場合に好適である。
上記（１６）の構成の描画装置によれば、ドットピッチを調整して、ｎ＋１番目の液滴が着弾後に被記録材上で濡れ広がっている領域に重ねることなくｎ＋２番目の液滴を着弾させ、ｎ＋１番目の液滴およびｎ＋２番目の液滴の被記録材上での濡れ広がりにより両液滴を合一させることができる。これは、吐出周波数を一定にしたい場合に好適である。
上記（１７）の構成の描画装置によれば、上記（７）〜（１０）の構成のインクジェットヘッドと同様の効果をえることができる。
【００１５】
また、上記目的は、本発明に係る下記のプリント配線板の製造方法により達成される。
（１８）配線パターンが設けられたプリント配線板の製造方法であって、（１）〜（６）に記載の描画方法により前記配線パターンを描画することを特徴とするプリント配線板の製造方法。
【００１６】
上記（１８）の構成のプリント配線板の製造方法によれば、配線パターンのパターン幅が均一に形成される。それにより、プリント配線板の品質を高めることができる。
【００１７】
また、上記目的は、本発明に係る下記のカラーフィルタの製造方法により達成される。
（１９）複数の画素および各画素を隔絶するブラックマトリクスが設けられたカラーフィルタの製造方法であって、（１）〜（６）に記載の描画方法により前記複数の画素および／または前記ブラックマトリクスを描画することを特徴とするカラーフィルタの製造方法。
【００１８】
上記（１９）の構成のカラーフィルタの製造方法によれば、画素および／またはブラックマトリックスのパターン幅が均一に形成される。それにより、カラーフィルタの品質を高めることができる。
【発明の効果】
【００１９】
本発明によれば、ジャギーおよびバルジの発生を抑制し、均一な幅のパターンを被記録材上に描画することができる描画方法、インクジェットヘッド、描画装置を提供することができる。そして、高品質なプリント配線板の製造方法およびカラーフィルタの製造方法を提供するこができる。
【発明を実施するための最良の形態】
【００２０】
以下に、図面を参照して、本発明に係る描画方法、インクジェットヘッド、描画装置の好適な実施形態を説明する。
【００２１】
［第１実施形態］
図１および図２を参照して、第１実施形態の描画装置を説明する。
描画装置１００は、図１および図２に示すように、複数の液滴を吐出するインクジェットヘッド１０１と、インクジェットヘッド１０１から吐出された液滴により所定のパターンが描画される被記録材としての基板１０２を保持する保持台１０３と、を備えている。
【００２２】
基板１０２の材料としては、用途に応じて適宜なものが選択される。例えば、プリント配線板でフレキシブルなものにはポリイミドなどの有機フイルムなどを用いることができ、リジッドなものにはフェノール樹脂やエポキシ樹脂を含浸した原紙やセラミックスなどを用いることができる。また、液晶ディスプレイのカラーフィルタにはガラスなどを用いることができる。
【００２３】
インクジェットヘッド１０１および保持台１０３は、除振台１０５を介して床上に設置された定盤１０６上に設置される。定盤１０６上には、保持台移動機構１０７と、ヘッド移動機構１０８とが設けられており、保持台１０３は保持台移動機構１０７に、インクジェットヘッド１０１はヘッド移動機構１０８に、それぞれ保持されている。
【００２４】
保持台移動機構１０７およびヘッド移動機構１０８は、保持台１０３に保持された基板１０２に対してインクジェットヘッド１０１を主走査方向および副走査方向に相対移動させる。例えば、ヘッド移動機構１０８が水平直交２軸のうちの第１軸に沿った主走査方向にインクジェットヘッド１０１を移動させ、保持台移動機構１０７が、水平直交２軸のうちの第２軸に沿った副走査方向に保持台１０３および基板１０２を移動させる。
【００２５】
インクジェットヘッド１０１には、所定量の溶液を間欠的に液滴として吐出するノズル１０４が少なくとも１つ設けられる。本実施形態において、ノズル１０４は主走査方向にも副走査方向にも１つに限らず、複数並べて設けられていてもよい。
【００２６】
インクジェットヘッド１０１のノズル１０４から液滴として吐出される溶液は、用途に応じて適宜なものが選択される。例えば、プリント配線板の製造には、銀などの金属微粒子を分散させた導電性インクを用いることができる。また、カラーフィルタの製造には、顔料などの着色剤を分散させたカラーレジストインクを用いることができる。
【００２７】
以上のように構成された描画装置１００は、ノズル１０４から液滴を吐出させながらインクジェットヘッド１０１を基板１０２に対して主走査方向に相対移動させ、基板１０２の所定の走査ラインにおける描画を行う。次いで、インクジェットヘッド１０１を副走査方向に相対移動させ、隣接する走査ラインにおける描画を同様にして行う。基板１０２の各走査ラインには、主走査方向に延びる所定のパターンが描画される。そして、これらのパターンの集合により、プリント配線板の配線パターンやカラーフィルタのＲＧＢの複数の画素および／または各画素を隔絶するブラックマトリックスが構成される。
【００２８】
次に図３および図４を参照して、基板１０２の各走査ラインにおけるパターンの描画方法を説明する。図３には、３以上の奇数個のドット１１０で構成される線状の画像データに基づき、基板１０２の所定の走査ラインにおいて、同数の液滴１１１を用いて主走査方向に延びる線状のパターンを描画する場合を示す。また、図４には、４以上の偶数個のドット１１０で構成される線状の画像データに基づき、基板１０２の所定の走査ラインにおいて、同数の液滴１１１を用いて主走査方向に延びる線状のパターンを描画する場合を示す。
【００２９】
本実施形態の描画方法は、画像データの各ドット１１０を、隣り合う２つ以上のドットで構成される組を少なくとも含み、１つまたは２つ以上のドットで構成される複数の組に分ける。換言すれば、各ドット１１０には液滴１１１が一対一対応することから、複数の液滴１１１を、隣り合う２滴以上で構成される組を少なくとも含み、１滴または２滴以上で構成される複数の組に分ける。
【００３０】
図３および図４は、複数の液滴１１１を、１滴または２滴で構成される複数の組に分ける例を示している。図３（Ｂ）および図４（Ｂ）に示す例では、パターンの一方の端（図中左端）を基点とし、ｎを奇数として、パターンに沿った並び順にｎ番目の液滴１１１ｎとｎ＋１番目の液滴１１１ｎ＋１とを一組とし、且つｎ＋１番目の液滴１１１ｎ＋１とｎ＋２番目の液滴１１１ｎ＋２とは別の組としたものである。具体的には、図３（Ｂ）に示す例において、１番目の液滴１１１１と２番目の液滴１１１２とが組ａを構成し、３番目の液滴１１１３と４番目の液滴１１１４とが組ｂを構成している。以降の液滴も同様に２滴一組で組ｃ〜ｆを構成している。そして、最終滴である１３番目の液滴１１１１３は、それ１滴で組ｇを構成している。図４（Ｂ）に示す例では、液滴１１１の数が偶数であることから、全ての組ａ〜ｆは２滴で構成されている。
【００３１】
図３（Ｃ）および図４（Ｃ）に示す例では、パターンの一方の端（図中左端）を基点とし、ｎを偶数（０を含む）として、パターンに沿った並び順にｎ番目の液滴１１１ｎとｎ＋１番目の液滴１１１ｎ＋１とを一組として、ｎ＋１番目の液滴１１１ｎ＋１とｎ＋２番目の液滴１１１ｎ＋２とは別の組としたものである。具体的には、図３（Ｃ）に示す例において、初滴である１番目の液滴１１１１は、それ１滴で組ａを構成している。そして、２番目以降の液滴では、２滴一組で組ｂ〜ｆを構成している。図４（Ｃ）に示す例では、液滴の数が偶数であり、且つ初滴である１番目の液滴１１１１がそれ１滴で組ａを構成していることから、最終滴である１２番目の液滴１１１１２もまた、それ１滴で組ｇを構成している。
【００３２】
そして、本実施形態の描画方法は、２滴以上で構成される組において、各液滴１１１は、隣り合う同じ組の液滴１１１と重なって基板１０２に着弾させる。図３（Ｂ）および図４（Ｂ）に示す例では、例えば組ａの液滴１１１１および１１１２は重なって着弾させており、ｎを奇数として、ｎ番目の液滴１１１ｎとｎ＋１番目の液滴１１１ｎ＋１とを重ねて着弾させている。また、図３（Ｃ）および図４（Ｃ）に示す例では、例えば組ｂの液滴１１１２および１１１３は重なって着弾させており、ｎを偶数として、ｎ番目の液滴１１１ｎとｎ＋１番目の液滴１１１ｎ＋１とを重ねて着弾させている。
【００３３】
ここで、隣り合う液滴１１１と重なって着弾するとは、例えば図３（Ｂ）に示す例において、液滴１１１１が液滴１１１２よりも先に基板１０２に着弾するとして、液滴１１１１が基板１０２上で濡れ広がっている領域１１１１Ｂと液滴１１１２を基板１０２に正投影した領域１１１２Ａの少なくとも一部とが重なるように、液滴１１１２が着弾することをいうものとする。尚、図３（Ｂ）において、一点鎖線で示す領域１１１１Ａ、１１１２Ａ、１１１３Ａは、それぞれ、着弾前の液滴１１１１、１１１２、１１１３を基板１０２に正投影した際の領域を示し、その径は着弾前の液滴の直径Ｄに等しい。また、実線で示す領域１１１１Ｂ、１１１２Ｂ、１１１３Ｂは、それぞれ、液滴１１１１、１１１２、１１１３が基板１０２上で濡れ広がっている領域を示している。
【００３４】
さらに、本実施形態の描画方法は、各組の端の液滴１１１は、隣り合う他の組の端の液滴１１１との間に隙間をおいて基板１０２に着弾させ、且つ基板１０２上で濡れ広がることにより該他の組の端の液滴１１１と合一させる。図３（Ｂ）および図４（Ｂ）に示す例では、例えば組ａの液滴１１１２と組ｂの液滴１１１３とは隙間をおいて着弾させており、ｎを奇数として、ｎ＋１番目の液滴１１１ｎ＋１とｎ＋２番目の液滴１１１ｎ＋２とを隙間をおいて着弾させている。また、図３（Ｃ）および図４（Ｃ）に示す例では、例えば組ａの液滴１１１１と組ｂの液滴１１１２とは隙間をおいて着弾させており、ｎを偶数として、ｎ＋１番目の液滴１１１ｎ＋１とｎ＋２番目の液滴１１１ｎ＋２とを隙間をおいて着弾させている。
【００３５】
ここで、隣り合う液滴１１１の間に隙間をおいて着弾するとは、例えば図３（Ｂ）に示す例において、液滴１１１２が液滴１１１３よりも先に基板１０２に着弾するとして、液滴１１１２が基板１０２上で濡れ広がっている領域１１１２Ｂと、液滴１１１３を基板１０２に正投影した領域１１１３Ａとが重ならないように、液滴１１１３が着弾することをいうものとする。そして、基板上で濡れ広がることにより合一するとは、液滴１１１２が基板１０２上で濡れ広がっている領域１１１２Ｂと、液滴１１１３が基板１０２上で濡れ広がっている領域１１１３Ｂの少なくとも一部とが重なることをいうものとする。
【００３６】
以上の描画方法において、２滴以上で構成される組の各液滴１１１は、互いに重なって着弾し、着弾時に一続きをなす。そして、各組の端の液滴１１１は、着弾後に濡れ広がって隣り合う他の組の端の液滴１１１と合一する。それにより、全ての液滴１１１は一続きをなし、基板１０２の各走査ラインにおいて、主走査方向に延びる所定のパターンが描画される。
【００３７】
２滴以上で構成される組の各液滴１１１を互いに重なって着弾させており、液滴１１１の間隔が長くなりすぎることがなく、ジャギーの発生が抑制される。このことから、１滴で構成される組を極力なくすことが好ましい。尚、初滴および最終滴については、ジャギーの発生に対する影響は比較的少なく、１滴で組を構成するようにしてもよい。
【００３８】
そして、各組の端の液滴１１１は、着弾後に濡れ広がって隣り合う他の組の液滴１１１と合一させており、２滴以上で構成される組においてバルジが発生してもバルジから合一箇所への溶液の流動が生じ、バルジが収縮ないし消滅する。ここで、２滴以上で構成される組の液滴数は少ないほうが好ましく、特に好ましくは２滴である。それによれば、２滴以上で構成される組における液量を少なくしてバルジの発生を抑制することができる。
【００３９】
このように、本実施形態の描画方法および描画装置１００によれば、ジャギーおよびバルジの発生が抑制され、均一な幅のパターンが描画される。それにより、プリント配線板においては配線パターンのパターン幅が均一に形成され、また、カラーフィルタにおいては、画素および／またはブラックマトリックスのパターン幅が均一に形成され、品質が向上する。
【００４０】
尚、上述した描画方法において、液滴１１１の着弾の順序は、パターンに沿った並び順に限られないが、好ましくは、パターンに沿った並び順とする。それによれば、基板１０２の各走査ラインにおいて、インクジェットヘッド１０１を往復させることなく、一度の走査でパターンを描画することができる。
【００４１】
また、好ましくは、同じ組の隣り合う２つの液滴１１１のピッチｐ１を、着弾前の液滴１１１の直径Ｄ以下とする。例えば、図３（Ｂ）に示す例において、同じ組ｃの液滴１１１５と液滴１１１６とのピッチや、組ｄの液滴１１１７と液滴１１１８とのピッチ、換言すれば、ｎを奇数として、ｎ番目の液滴１１１ｎとｎ＋１番目の液滴１１１ｎ＋１とのピッチｐ１を、着弾前の液滴１１１の直径Ｄ以下とする。このようにすれば、先に着弾した液滴１１１の基板１０２上での濡れ広がりを待たなくとも、確実に先に着弾した液滴１１１に重なって着弾させることができる。
【００４２】
また、好ましくは、各組の端の液滴１１１と隣り合う他の組の端の液滴１１１とのピッチｐ２を、着弾前の液滴１１１の直径をＤ、基板１０２と液滴１１１との接触角をθとして、下記の数式（ｉ）を満たすものとする。例えば、図３（Ｂ）に示す例において、組ｃの液滴１１１６と組ｄの液滴１１１７とのピッチや、組ｄの液滴１１１８と組ｅの液滴１１１９とのピッチ、換言すれば、ｎを奇数として、ｎ＋１番目の液滴１１１ｎ＋１とｎ＋２番目の液滴１１１ｎ＋２とのピッチｐ２を下記の数式（ｉ）を満たすものとする。
【００４３】
【数４】
0005155711.tif 000005
このようにすれば、先に着弾した液滴１１１の基板１０２上での濡れ広がりによらず、着弾時には先に着弾した液滴１１１との間に隙間をおいて着弾し、そして着弾後に濡れ広がって先に着弾した液滴１１１に合一させることができる。尚、Ｄ／｛８・ｔａｎ（θ／２）・（３＋ｔａｎ２（θ／２））｝１／３は、着弾前の直径Ｄの液滴１１１が基板１０２上で濡れ広がりきった際の、その領域の直径１１１Ｂを示す。
【００４４】
液滴１１１のピッチｐ１、ｐ２を上述の通り設定することにより、液滴１１１の吐出周波数を一定とすることができる。尚、液滴１１１のピッチは、保持台移動機構１０７およびヘッド移動機構１０８によるインクジェットヘッド１０１の主走査方向への相対移動量を調整して設定され得る。
【００４５】
一方、液滴１１１のピッチが固定される場合などには、複数の液滴１１１をパターンに沿って順次着弾させるものとして、同じ組の隣り合う２つの液滴１１１について１滴目が着弾した後に２滴目が着弾するまでの時間を、各組の端の液滴１１１と隣り合う他の組の端の液滴１１１との２つの液滴１１１について１滴目が着弾した後に２滴目が着弾するまでの時間よりも長くするようにする。例えば、図３（Ｂ）に示す例において、同じ組ａの液滴１１１１、１１１２について液滴１１１１が着弾した後に液滴１１１２が着弾するまでの時間を、組ａの液滴１１１２と組ｂの液滴１１１３の２滴について液滴１１１２が着弾した後に液滴１１１３が着弾するまでの時間よりも長くする。換言すれば、ｎを奇数として、ｎ番目の液滴１１１ｎが着弾した後にｎ＋１番目の液滴１１１ｎ＋１が着弾するまでの時間を、ｎ＋１番目の液滴１１１ｎ＋１が着弾した後にｎ＋２番目の液滴１１１ｎ＋２が着弾するまでの時間よりも長くする。
【００４６】
［第２実施形態］
次に、図５および図６を参照して、第２実施形態の描画装置を説明する。尚、上述した第１実施形態の描画装置１００と共通する要素については、図中同一符号を付すことにより説明を省略あるいは簡略する。
【００４７】
描画装置２００は、図５に示すように、複数の液滴を吐出するインクジェットヘッド２０１と、基板１０２を保持する保持台１０３と、保持台１０３に保持された基板１０２に対してインクジェットヘッド２０１を相対移動させる移動手段と、を備えている。
【００４８】
インクジェットヘッド２０１には、図６に示すように、所定量の溶液を間欠的に液滴として吐出するノズル１０４が、主走査方向に３個以上並んで設けられている。このようなインクジェットヘッド２０１によれば、基板１０２の各走査ラインにおける一定の領域を主走査方向への相対移動なしに描画することができる。
【００４９】
以上のように構成された描画装置２００は、基板１０２の所定の走査ラインにおいて、インクジェットヘッド２０１の主走査方向への相対移動と一定の領域の描画とを交互に繰り返し、所定の走査ラインにおける描画を行う。次いで、インクジェットヘッド２０１を副走査方向に相対移動させ、隣接する走査ラインにおける描画を同様にして行う。尚、インクジェットヘッド２０１が、基板１０２の各走査ラインの全て領域を一度に描画し得るフルラインヘッドである場合には、インクジェットヘッド２０１の主走査方向への相対移動はなされず、副走査方向にのみ相対移動される。
【００５０】
本実施形態の描画方法においても、上述した第１実施形態の描画方法と同様に、３以上のドットで構成される線状の画像データに基づき、基板１０２の所定の走査ラインにおいて、同数の液滴１１１を用いて主走査方向に延びる線状のパターンを描画する。そして、複数の液滴１１１を、隣り合う２滴以上で構成される組を少なくとも含み、１滴または２滴以上で構成される複数の組に分ける。２滴以上で構成される組において、各液滴１１１は、隣り合う同じ組の液滴１１１と重なって基板１０２に着弾させる。また、各組の端の液滴１１１は、隣り合う他の組の端の液滴１１１との間に隙間をおいて基板１０２に着弾させ、且つ基板１０２上で濡れ広がることにより該他の組の端の液滴１１１と合一させる。
【００５１】
ここで、上述した第１実施形態の描画装置１００では、インクジェットヘッド１０１の主走査方向への相対移動量や液滴の吐出周波数を調整して上述の描画方法を実施しているのに対し、本実施形態の描画装置２００では、インクジェットヘッド２０１に複数のノズル１０４を設け、それらの配列により上述の描画方法を実施する。
【００５２】
インクジェットヘッド２０１の複数のノズル１０４は、隣り合う２つ以上で構成される組を少なくとも含み、１つまたは２つ以上で構成される複数の組に分けられる。図６は、複数のノズル１０４を、１つまたは２つで構成される複数の組に分ける例を示している。図６（Ａ）に示す例では、ノズル１０４の列の一方の端（図中左端）を基点とし、ｎを奇数として、ノズルの並び順にｎ番目のノズル１０４ｎとｎ＋１番目のノズル１０４ｎ＋１とを一組とし、且つｎ＋１番目のノズル１０４ｎ＋１とｎ＋２番目のノズル１０４ｎ＋２とは別々の組としたものである。具体的には、図６（Ａ）に示す例において、１番目のノズル１０４１と２番目のノズル１０４２とが組ａを構成し、３番目のノズル１０４３と４番目のノズル１０４４とが組ｂを構成している。以降のノズルも同様に２つ一組で組ｃ〜ｆを構成している。そして、最後の１３番目のノズル１０４１３は、それ１つで組ｇを構成している。
【００５３】
また、図６（Ｂ）に示す例では、ノズルの列の一方の端（図中左端）を基点とし、ｎを偶数（０を含む）として、ノズルの並び順にｎ番目のノズル１０４ｎとｎ＋１番目のノズル１０４ｎ＋１とを一組として、ｎ＋１番目のノズル１０４ｎ＋１とｎ＋２番目のノズル１０４ｎ＋２とは別の組としたものである。具体的には、図６（Ｂ）に示す例において、１番目のノズル１０４１は、それ１つで組ａを構成している。そして、２番目以降のノズルでは、２つ一組で組ｂ〜ｆを構成している。
【００５４】
以上のように組分けされる複数のノズル１０４は、２つ以上のノズル１０４で構成される組において隣り合う２つのノズル１０４のピッチが、両ノズル１０４から吐出された液滴１１１が重なって基板１０２に着弾するピッチであり、また、各組の端のノズル１０４と隣り合う他の組の端のノズル１０４とのピッチが、両ノズル１０４から吐出された液滴１１１が隙間をおい基板１０２に着弾し、且つ基板１０２上で濡れ広がることにより合一するピッチであるように配列される。
【００５５】
例えば、図６（Ａ）に示す例では、ｎを奇数として、同じ組の隣り合うｎ番目のノズル１０４ｎとｎ＋１番目のノズル１０４ｎ＋１とのピッチＰ１は、両ノズル１０４から吐出された液滴１１１が重なって基板１０２に着弾するピッチであり、他の組で隣り合うｎ＋１番目のノズル１０４ｎ＋１とｎ＋２番目のノズル１０４ｎ＋２とのピッチＰ２は、両ノズル１０４から吐出された液滴１１１が隙間をおい基板１０２に着弾し、且つ基板１０２上で濡れ広がることにより合一するピッチであるように配列されている。
【００５６】
また、図６（Ｂ）に示す例では、ｎを偶数として、同じ組の隣り合うｎ番目のノズル１０４ｎとｎ＋１番目のノズル１０４ｎ＋１とのピッチＰ１は、両ノズル１０４から吐出された液滴１１１が重なって基板１０２に着弾するピッチであり、他の組で隣り合うｎ＋１番目のノズル１０４ｎ＋１とｎ＋２番目のノズル１０４ｎ＋２とのピッチＰ２は、両ノズル１０４から吐出された液滴１１１が隙間をおい基板１０２に着弾し、且つ基板１０２上で濡れ広がることにより合一するピッチであるように配列されている。
【００５７】
複数のノズル１０４が上述のように配列される場合に、２つ以上のノズル１０４で構成される組において隣り合う２つのノズル１０４のピッチは、各組の端のノズル１０４と隣り合う他の組の端のノズル１０４とのピッチよりも小さくなる。
【００５８】
以上のように構成されたインクジェットヘッド２０１では、２つ以上で構成される組の各ノズル１０４から吐出された液滴１１１は、互いに重なって着弾し、着弾時に一続きをなす。そして、各組の端のノズル１０４から吐出された液滴１１１は、着弾後に濡れ広がって、隣り合う他の組の端のノズル１０４から吐出された液滴１１１と合一する。それにより、全ての液滴１１１は一続きをなし、基板１０２の各走査ラインにおいて、主走査方向に延びる所定のパターンが描画される。
【００５９】
２つ以上で構成される組の各ノズル１０４から吐出された液滴１１１を互いに重なって着弾させており、液滴の間隔が長くなりすぎることがなく、ジャギーの発生が抑制される。そして、各組の端のノズル１０４から吐出された液滴１１１は、着弾後に濡れ広がって、隣り合う他の組の端のノズル１０４から吐出された液滴１１１と合一させており、２滴以上で構成される組においてバルジが発生してもバルジから合一箇所への溶液の流動が生じ、バルジが収縮ないし消滅する。
【００６０】
このように、本実施形態の描画方法、インクジェットヘッド２０１、およびこのインクジェットヘッド２０１を備えた描画装置２００によれば、ジャギーおよびバルジの発生が抑制され、均一な幅のパターンが描画される。それにより、プリント配線板においては配線パターンのパターン幅が均一に形成され、また、カラーフィルタにおいては、画素および／またはブラックマトリックスのパターン幅が均一に形成され、品質が向上する。
【００６１】
好ましくは、同じ組の隣り合う２つのノズル１０４のピッチＰ１を、着弾前の液滴１１１の直径Ｄ以下とする。例えば、図６（Ａ）に示す例において、同じ組ｂのノズル１０４３とノズル１０４４とのピッチや、組ｃのノズル１０４５とノズル１０４６とのピッチ、換言すれば、ｎを奇数として、ｎ番目のノズル１０４ｎとｎ＋１番目のノズル１０４ｎ＋１とのピッチＰ１を、着弾前の液滴１１１の直径Ｄ以下とする。このようにすれば、先に着弾した液滴１１１の基板１０２上での濡れ広がりを待たなくとも、確実に先に着弾した液滴１１１に重なって着弾させることができる。
【００６２】
また、好ましくは、各組の端のノズル１０４と隣り合う他の組の端のノズル１０４とのピッチＰ２を、着弾前の液滴１１１の直径をＤ、基板１０２と液滴１１１との接触角をθとして、下記の数式（ｉｉ）を満たすものとする。例えば、図６（Ａ）に示す例において、組ｂのノズル１０４４と組ｃのノズル１０４５とのピッチや、組ｃの液滴１０４６と組ｄのノズル１０４７とのピッチ、換言すれば、ｎを奇数として、ｎ＋１番目のノズル１０４ｎ＋１とｎ＋２番目のノズル１０４ｎ＋２とのピッチＰ２を下記の数式（ｉｉ）を満たすものとする。
【００６３】
【数５】
0005155711.tif 000006
このようにすれば、先に着弾した液滴１１１の基板１０２上での濡れ広がりによらず、着弾時には先に着弾した液滴１１１との間に隙間をおいて着弾し、そして着弾後に濡れ広がって先に着弾した液滴１１１に合一させることができる。
【００６４】
尚、本発明は、上述した実施形態に限定されるものではなく、適宜、変形、改良、等が可能である。その他、上述した実施形態における各要素の形状、寸法、数値、形態、数、配置箇所、等は本発明を達成できるものであれば任意であり、限定されない。
【図面の簡単な説明】
【００６５】
【図１】第１実施形態の描画装置の構成を示す正面図である。
【図２】第１実施形態の描画装置の構成を示す斜視図である。
【図３】第１実施形態の描画方法を説明する図である。
【図４】第１実施形態の描画方法を説明する図である。
【図５】第２実施形態の描画装置の構成を示す斜視図である。
【図６】第２実施形態の描画方法を説明する図である。
【符号の説明】
【００６６】
１００    描画装置
１０１    インクジェットヘッド
１０２    基板（被記録材）
１０３    保持台
１０４    ノズル
１０７    保持台移動機構（移動手段）
１０８    ヘッド移動機構（移動手段）
１１１    液滴
２００    描画装置
２０１    インクジェットヘッド
【図１】
0005155711.tif 000007
【図２】
0005155711.tif 000008
【図３】
0005155711.tif 000009
【図４】
0005155711.tif 000010
【図５】
0005155711.tif 000011
【図６】
0005155711.tif 000012